(57)【要約】      （修正有）【課題】  器具本体１と反射板３との電気的な接続のための導電性材料によるアース金具などの別部品を追加することなく、ソケット台２の一部に反射板３の曲成部３２に圧接する突起２１を一体的に構成し、安価で経済的な電気的接続を確保する。【解決手段】  長尺な金属製の器具本体１・ソケット台２の下方であって前記蛍光ランプ５の上方に装着される長尺な反射板３を備える。前記反射板３は塗装が施された塗装鋼板製である。前記反射板３の短手方向に沿った断面形状は複数の直線状の反射面部３１と該反射面部３１相互間の少なくとも一つの曲成部３２を具備する態様である。  前記ソケット台２の一部にアース接続用の突起２１を切起して形成する。前記突起２１を前記反射板３における前記曲成部３２ないしはその近傍に圧接する。前記圧接により前記突起２１を前記反射板３における金属部分に電気的に接続する。【選択図】    図１
2006278301.tif 000002
【特許請求の範囲】
【請求項１】
長尺な金属製の器具本体を備え、前記器具本体の両端部に装着される金属製のソケット台を備え、前記各ソケット台に装着されるランプソケットを備え、前記各ランプソケット間に装着される直管形の蛍光ランプを備え、前記器具本体・ソケット台の下方であって前記蛍光ランプの上方に装着される長尺な反射板を備え、前記反射板は塗装が施された塗装鋼板製であり、前記反射板は前記器具本体の長さ方向に沿った舟形であり、前記反射板の短手方向に沿った断面形状は複数の直線状の反射面部と該反射面部相互間の少なくとも一つの曲成部を具備する態様であり、前記ソケット台の一部にアース接続用の突起を切起して形成し、前記突起を前記反射板における前記曲成部ないしはその近傍に圧接し、前記圧接により前記突起を前記反射板における金属部分に電気的に接続することを特徴とする蛍光灯器具。
【発明の詳細な説明】
【技術分野】
【０００１】  本発明は、長尺な蛍光ランプを用いる蛍光灯照明器具に関する。特に、ランプソケットや点灯装置を支持固定する器具本体と蛍光ランプからの光を有効的に反射させ前記内蔵部品を覆い意匠性を向上させる反射板との電気的接続を確保し、感電保護と雑音端子電圧などの雑音低減のを図るものである。
【背景技術】
【０００２】  一般に、器具本体と反射板とのアース接続は、この両者間に導電性材料を用いたアース金具等の別部品を追加取付けしてなされることが多い。
【発明の開示】
【発明が解決しようとする課題】
【０００３】
【０００４】  前記技術においては、導電性材料を用いたアース金具等の別部品を追加取付けしているため、部品コストや部品取付けコストがアップするなど経済性の面に問題があった。本発明はこれを解決する。
【課題を解決するための手段】
【０００５】  本発明においては、長尺な金属製の器具本体を備え、前記器具本体の両端部に装着される金属製のソケット台を備え、前記各ソケット台に装着されるランプソケットを備え、前記各ランプソケット間に装着される直管形の蛍光ランプを備え、前記器具本体・ソケット台の下方であって前記蛍光ランプの上方に装着される長尺な反射板を備え、前記反射板は塗装が施された塗装鋼板製であり、前記反射板は前記器具本体の長さ方向に沿った舟形であり、前記反射板の短手方向に沿った断面形状は複数の直線状の反射面部と該反射面部相互間の少なくとも一つの曲成部を具備する。
従来技術の課題を解決するため、前記ソケット台の一部にアース接続用の突起を１つ以上形成し、前記突起を前記反射板における前記曲成部ないしはその近傍に引張力が加わる方向で圧接し、前記圧接により前記突起を前記反射板における金属部分に電気的に接続する。好ましくは、前記アース接続用の突起を複数個設ける。この場合は反射板の短手方向にずれた時でも、確実な電気的接続が可能となる。
【発明の効果】
【０００６】  前記反射板は断面が略舟形であり、前記反射板の短手方向に沿った断面形状は複数の直線状の反射面部と該反射面部相互間の少なくとも一つの曲成部を具備しており、直線状の反射面の中で比較的強度の強い部分の曲成部ないしはその近傍に向け引張応力が加わるようにアース接続用の突起を構成としたことにより直線状の反射面の曲がりや変形を防止できる。
従来技術のように器具本体と反射板との電気的な接続のための導電性材料によるアース金具などの別部品を追加することなく、ソケット台の一部に反射板の曲成部に圧接する記突起を一体的に構成した為、安価で経済的な電気的接続が得られる。また、前記アース接続用の突起を複数個設けることにより反射板の短手方向にずれた時でも確実な電気的接続が可能となる電気的信頼性の高い構成が得られる。
さらに、点灯装置を囲む器具本体と反射板の電気的接続の連続性により、点灯装置から電源に乗るノイズ（雑音端子電圧）を低減する効果が期待できる。
【発明を実施するための最良の形態】
【０００７】  本発明の実施形態を図１〜図３を用いて説明する。本発明においては、長尺な金属製の器具本体１を備える。前記器具本体１の両端部に装着される金属製のソケット台２を備える。前記各ソケット台２に装着されるランプソケット４を備える。前記各ランプソケット４間に装着される直管形の蛍光ランプ５を備える。前記器具本体１・ソケット台２の下方であって前記蛍光ランプ５の上方に装着される長尺な反射板３を備える。前記反射板３は塗装が施された塗装鋼板製である。前記反射板３は前記器具本体１の長さ方向に沿った舟形である。前記反射板３の短手方向に沿った断面形状は複数の直線状の反射面部３１と該反射面部３１相互間の少なくとも一つの曲成部３２を具備する態様である。
前記ソケット台２の一部にアース接続用の突起２１を突起を切起して形成する。前記突起２１を前記反射板３における前記曲成部３２ないしはその近傍に圧接する。前記圧接により前記突起２１を前記反射板３における金属部分に電気的に接続する。
本明細書における用語「近傍」は当該曲成部３２に連接する直線状反射面部３１の長さ全体における当該曲成部３２寄りの２０％の範囲である。
２２は前記ソケット台２に形成したランプソケット４を装着するためのソケット取付部である。２３は前記ソケット台２を器具本体１に装着する取付け片である。２４は反射板３を器具本体１に固定する取付けねじである。アース接続用の突起２１の先端形状例は三角計、台形、半円形、略Ｍ形等々である。
前記反射板３は舟形である。複数の直線状の反射面部３１は曲成せず、曲成は曲成部３２に集約される。このため、曲成部３２は丈夫であり、突起２１が圧接しても変形し難い。仮に、突起２１が反射面部３１途中に圧接すると、下側から目視可能な変形が生ずる。【０００８】  前記ソケット台２が付属する器具本体１に反射板３を取付けねじ２４により取付けると、前記突起２１が前記反射板３における少なくとも一つの曲成部３２ないしはその近傍に引張力が加わる方向で圧接し、前記反射板３における金属部分に電気的に接続する。図示実施例においては、前記アース接続用の突起２１を複数個設けることにより反射板３の曲成部３２が短手方向にずれた時でも確実な電気的接続が可能となる。
一対の突起２１はソケット台２の底部中央を図２に示す計上に打ち抜きかつきり起して形成したものである。
【図面の簡単な説明】
【０００９】
【図１】  本発明器具の断面図である。
【図２】  同器具のソケット台部分を斜視した説明図である。
【図３】  同器具の全体を示す縮小斜視図である。
【符号の説明】
【００１０】１  ：器具本体
２  ：ソケット台
２１：アース接続用突起
３  ：反射板
３２：反射板の曲成部
４  ：ランプソケット
【図１】
2006278301.tif 000003
【図２】
2006278301.tif 000004
【図３】
2006278301.tif 000005